(57)【要約】【課題】ＩＣチップ等の情報識別素子を備えたカードをカードケースに収納した状態で認証に必要な通信出力を可変的に設定することができ、ユーザの利便性を向上させたカードケースを提供する。【解決手段】アンテナに接続されることによって通信可能な情報識別素子２０が内蔵されたカード２を収納するカードケース１であって、複数の接続端子４１Ａ〜４１Ｃからなり、いずれかの接続端子４１が情報識別素子２０と接続される接続部４と、複数の接続端子４１Ａ〜４１Ｃに夫々対応して接続されている通信出力が異なる複数のアンテナ５１Ａ〜５１Ｃからなるアンテナ部５と、接続端子４１と前記情報識別素子２０とが接続される位置にカードを保持する保持手段３１とを備え、前記接続部４は、カード２の収納パターンに応じて、情報識別素子２０と接続される接続端子４１が変化する。【選択図】  図1
2007133781.tif 000002
【特許請求の範囲】
【請求項１】
アンテナに接続されることによって通信可能な情報識別素子が内蔵されたカードを収納するカードケースであって、
複数の接続端子からなり、該複数の接続端子のうちのいずれかの接続端子が情報識別素子と接続される接続部と、
接続部の複数の接続端子に夫々対応して接続されている通信出力が異なる複数のアンテナからなるアンテナ部と、
接続部の複数の接続端子のうちのいずれかの接続端子と前記情報識別素子とが接続される位置にカードを保持する保持手段とを備え、
前記接続部は、カードの収納パターンに応じて、情報識別素子と接続される接続端子が変化することを特徴とするカードケース。
【請求項２】
前記保持手段は、カードを縦姿勢及び横姿勢に収納して保持し、
前記接続部は、前記カードの収納パターンとしてのカードの収納姿勢に応じて、情報識別素子と接続される接続端子が変化することを特徴とする請求項１記載のカードケース。
【請求項３】
前記保持手段は、カードケースへの差し込み深さが異なる位置にカードを保持し、
前記接続部は、前記カードの収納パターンとしてのカードの差し込み深さに応じて、情報識別素子と接続される接続端子が変化することを特徴とする請求項１又は２記載のカードケース。
【請求項４】
前記接続部は、カードを動かさずに、情報識別素子と接続される接続端子を可変的に選択できる選択手段を備えることを特徴とする請求項１、２又は３記載のカードケース。
【請求項５】
情報識別素子が内蔵されたカードを収納するカードケースであって、
情報識別素子と接続される接続端子からなる接続部と、
接続部の接続端子と接続された通信回路からなる回路部と、
回路部に接続されたアンテナ部と、
電源部とを備え、
回路部は、通信出力を切り替える切替手段を有することを特徴とするカードケース。
【発明の詳細な説明】
【技術分野】
【０００１】
本発明は、情報識別素子を備えるカードを収納するカード収納具に関する。
【背景技術】
【０００２】
従来、会社等の組織の個人を識別するためのＩＤカードとしては、カード内部に非接触ＩＣチップが内蔵されてなるものが知られている（例えば特許文献１参照。）。かかるＩＤカードのユーザである社員は、ＩＤカードを用いて認証を行い、認証結果に応じて様々な許可・権限が与えられる。例えば、ユーザは、首から提げたネックホルダータイプのカードケース内にカードを携帯している。そして、特定のゲートの通過の際には、カードをカードケースに差し込んだまま、ゲート入口付近に設けられたリーダライタからなる認証箇所に、カード及びカードケースをかざして認証を行う。認証の結果、ゲートの通過が認められれば、ゲートが開いて特定のエリアへの立ち入りが許可される。さらに、ゲート通過時の時刻を記録することで、どの社員が、いつ、どのゲートを通過したか等の入出退管理を行うこともできる。また、ユーザは、社内パソコンの使用時には、カードをカードケースから取出して専用のカードリーダに差し込み、認証により該パソコンの使用許可を得て使用する。そして、該パソコンの使用中はカードを前記カードリーダに差し込んだままにしておき、使用を中断する場合には、カードをカードリーダから取出してパソコンの使用状態を解除する。
【特許文献１】特開２０００−２７６５６９号公報
【発明の開示】
【発明が解決しようとする課題】
【０００３】
しかしながら、従来のカードケースでは、次のような不都合がある。
【０００４】
例えば、両手に書類を持って特定のゲートを通過するような場合には、ユーザは、両手が塞がっているため、ゲート入口付近に設けられたリーダライタからなる認証箇所に、カードが収納されているカードケースを近づけて認証を行うことができない。そのため、ユーザは、一旦、両手の書類を床に下ろした上で、カードが収納されているカードケースをかざして認証を行い。ゲートが開いたことを確認し、書類を拾い上げてゲートを通過する必要がある。
【０００５】
また、ユーザは、特定エリア内でカードをパソコンのカードリーダに差し込んで、その場から離れて社内を移動してしまうと、特定エリアへの立ち入りの際の認証ができず、カードが存在する特定エリアへ戻ってくることができないという不都合を生じる。
【０００６】
そこで、本発明は、以上の不都合な点に鑑み、ＩＣチップ等の情報識別素子を備えたカードをカードケースに収納した状態で認証に必要な通信出力を可変的に設定することができ、ユーザの利便性を向上させたカードケースを提供することをその課題としている。
【課題を解決するための手段】
【０００７】
上記課題を解決するために、本発明のカードケースは、アンテナに接続されることによって通信可能な情報識別素子が内蔵されたカードを収納するカードケースであって、複数の接続端子からなり、該複数の接続端子のうちのいずれかの接続端子が情報識別素子と接続される接続部と、接続部の複数の接続端子に夫々対応して接続されている通信出力が異なる複数のアンテナからなるアンテナ部と、接続部の複数の接続端子のうちのいずれかの接続端子と前記情報識別素子とが接続される位置にカードを保持する保持手段とを備え、前記接続部は、カードの収納パターンに応じて、情報識別素子と接続される接続端子が変化することを特徴とする。
【０００８】
本発明のカードケースによれば、カードに内蔵されたＩＣチップ等の情報識別素子は、カードケースの接続部及びアンテナ部を介して外部に設けられたリーダライタと通信可能に構成されている。そして、保持手段は、接続部の複数の接続端子のうちのいずれかの接続端子と情報識別素子とが接続される位置にカードを収納して保持する。これにより、ユーザがカードのカードケースに対する収納パターンを変化させることにより、情報識別素子と接続される接続部の接続端子が変化し、情報識別素子は、通信出力が異なる別のアンテナを介してカードリーダと通信が可能になる。例えば、特定のゲートの通過の際に、ユーザは、予めカードのカードケースに対する収納パターンを、カードが収納されているカードケースを認証箇所に近づけることなく認証可能な通信出力に設定する。これにより、ユーザは、両手が書類で塞がっている場合であっても、両手の書類を床に下ろしてカードケースを認証箇所であるリーダライタに近づけることなく、認証を行ってゲートを通過することができる。また、社内パソコンの使用時には、複数のパソコンが近くに併設されているため、ユーザは、カードのカードケースに対する収納パターンを、使用する特定のパソコンの認証に必要な通信出力に設定する。これにより、ユーザは、特定のパソコンの前に座っている間は、カードをカードケースに収納したままで、特定のパソコンに設けられた認証のためのリーダライタとＩＣチップとの間で使用認証を行い、使用許可を得て特定のパソコンのみを使用することができる。そして、ユーザが特定のパソコンから離れた場合には、使用認証が解除され、パソコンの不正使用を防止することができる。さらに、カードは、常にカードケースに収納された状態で使用され、カードとカードケースとが別々にならないように使うことができるため、カードの置き忘れや紛失を防止することができる。このように、本発明のカードケースによれば、情報識別素子を備えたカードをカードケースに収納した状態で認証に必要な通信出力を設定することができ、ユーザの利便性を向上させることができる。
【０００９】
また、本発明のカードケースにおいて、前記保持手段は、カードを縦姿勢及び横姿勢に収納して保持し、前記接続部は、前記カードの収納パターンとしてのカードの収納姿勢に応じて、情報識別素子と接続される接続端子が変化することを特徴とする。
【００１０】
本発明のカードケースによれば、ユーザは、カードのカードケースへの差込姿勢を変えることにより、情報識別素子の通信出力を変化させることができる。また、ユーザは、カードがカードケースに差し込まれている外観から、現在の通信出力の状態を容易に認識することもできる。
【００１１】
さらに、本発明のカードケースにおいて、前記保持手段は、カードケースへの差し込み深さが異なる位置にカードを保持し、前記接続部は、前記カードの収納パターンとしてのカードの差し込み深さに応じて、情報識別素子と接続される接続端子が変化することを特徴とする。
【００１２】
本発明のカードケースによれば、ユーザは、カードのカードケースへの差し込み深さを変えることにより、情報識別素子の通信出力を変化させることができる。また、ユーザは、カードがカードケースに差し込まれている外観から、現在の通信出力の状態を容易に認識することもできる。
【００１３】
また、本発明のカードケースにおいて、前記接続部は、カードを動かさずに、情報識別素子と接続される接続端子を可変的に選択できる選択手段を備えることを特徴とする。
【００１４】
本発明のカードケースによれば、ユーザは、カードがカードケースに収納された状態で、情報識別素子と接続される接続端子を変更でき、情報識別素子の通信出力を変化させることができる。そして、ユーザは、カードをカードケースに収納したままでカードに触れる必要がないため、不意にカードがカードケースから抜け落ちることを防止することができる。
【００１５】
さらに、本発明のカードケースは、情報識別素子が内蔵されたカードを収納するカードケースであって、情報識別素子と接続される接続端子からなる接続部と、接続部の接続端子と接続された通信回路からなる回路部と、回路部に接続されたアンテナ部と、電源部とを備え、回路部は、通信出力を切り替える切替手段を有することを特徴とする。
【００１６】
本発明のカードケースによれば、情報識別素子は、接続部を介して回路部と接続され、回路部に接続されたアンテナ部により、通信可能に構成されている。そして、回路部には、電源部から動作用電力が供給されているため、情報識別素子は、回路部及びアンテナ部を介して比較的大きな通信出力を得ることができる。また、回路部は、切替手段により通信回路の通信出力を変化させることができる。これにより、ユーザ通信は、切替手段を操作することにより、カードをカードケースに収納した状態で、外部に設けられた認証箇所と通信可能な通信出力を設定することができる。
【発明を実施するための最良の形態】
【００１７】
次に、添付の図面を参照しながら本発明の実施の形態についてさらに詳しく説明する。図１は第１実施形態におけるカードケースの使用状態を示す説明図であり、図２は第２実施形態におけるカードケースの使用状態を示す説明図であり、図３は第３実施形態におけるカードケースの使用状態を示す説明図であり、図４は第４実施形態におけるカードケースの使用状態を示す説明図であり、図５は第５実施形態におけるカードケースの使用状態を示す説明図であり、図６は本実施形態における使用例を示す説明図であり、図７は本実施形態における他の使用例を示す説明図である。
【００１８】
まず、カードのカードケースへの差し込み深さに応じて通信出力が変化する第１実施形態について、図１（ａ）〜（ｃ）を用いて説明する。第１実施形態おけるカードケース１は、図１（ａ）に示すように、ほぼ同一形状の２枚の板体がおおむねカード２の厚さを存して重ねあわされた形状であって、カード２を収納するホルダー部３内に設けられた接続部４と、アンテナ部５とを備える。
【００１９】
カード２は、社員証等のＩＤカードであって、個人識別情報を記憶保持する情報識別素子としてのＩＣチップ２０と、カード２の一方の外表面に設けられた一対のカード接続端子２１とからなり、ＩＣチップ２０とカード接続端子２１との間はリード線によって結ばれている。また、カード２の一側端縁には、等間隔を隔て側端縁が窪んだ凹部２５Ａ，２５Ｂ，２５Ｃ（以下、２５Ａ，２５Ｂ，２５Ｃを区別しない場合は２５と記す。）が設けられている。
【００２０】
また、ホルダー部３の内面には、開口部３０近傍の一側端に、ホルダー部３の内面から突出する凸部３１（本発明の保持手段に相当する。）が設けられている。凸部３１は、ばね等による付勢手段３２と接触部３３からなり、ホルダー部３に差し込まれたカード２の一側端縁に設けられた凹部２５と係合して、付勢力によってカード２を所定の収納位置に固定する。
【００２１】
接続部４は、ホルダー部３の一側面に設けられ、カード２のホルダー部３内への差し込み深さに応じてカード接続端子２１と当接可能な各一対のカードケース接続端子４１Ａ，４１Ｂ，４１Ｃ（以下、４１Ａ，４１Ｂ，４１Ｃを区別しない場合は４１と記す。）からなる。
【００２２】
アンテナ部５は、長さの異なる３種のアンテナコイルよりなるループアンテナ５１Ａ，５１Ｂ，５１Ｃ（以下、５１Ａ，５１Ｂ，５１Ｃを区別しない場合は５１と記す。）から構成される。ループアンテナ５１Ａは、アンテナコイルの長さが３種の中で最も短いためアンテナ有効面積が最も小さく、通信出力が約１〜２メートル半径に限られている。また、ループアンテナ５１Ａを形成するアンテナコイルの両端は、一対のカードケース接続端子４１Ａと接続されている。ループアンテナ５１Ｂは、アンテナコイルの長さが次に短いため、アンテナ有効面積もループアンテナ５１Ａに次いで小さく、通信出力が約４〜５メートル半径に限られている。また、ループアンテナ５１Ｂを形成するアンテナコイルの両端は、一対のカードケース接続端子４１Ｂと接続されている。ループアンテナ５１Ｃは、アンテナコイルの長さが最も長いため、アンテナ有効面積が最も大きく、通信出力が約１０〜１５メートル半径に及ぶ。また、ループアンテナ５１Ｃを形成するアンテナコイルの両端は、一対のカードケース接続端子４１Ｃと接続されている。
【００２３】
次に、第１実施形態のカードケース１の機能について説明する。
【００２４】
例えば、カードケース１のユーザは、通常、自己の個人識別情報を有するＩＣチップ２０が内蔵されたカード２をカードケース１に収納して、ネックストラップにより首からカードケース２を吊り下げている。
【００２５】
そして、ユーザは、パソコンの使用認証など比較的近距離での認証が必要な場合には、図１（ａ）に示すように、差込の深さを一番浅くした状態とする。
【００２６】
このとき、ホルダー部３の凸部３１が、カード２の側端縁に設けられた凹部２５Ａと凸部３１に働く付勢力によって係合して、ホルダー部３に差し込まれたカード２の差し込み深さを保持する。そして、カード２が凸部３１によって保持された位置において、カード２とカードケース１とは、カード２の一対のカード接続端子２１Ａとカードケース１の接続部４に設けられた一対のカードケース接続端子４１Ａとが当接する。
【００２７】
その結果、ＩＣチップ２０は、カード接続端子２１Ａとカードケース接続端子４１Ａとを介して、アンテナ５１Ａに接続されて、外部に設けられたリーダライタからなる認証箇所との間で通信可能になる。
【００２８】
これにより、ＩＣチップ２０は、アンテナ５１Ａを介して約１〜２メール半径でのみ通信可能となるため、ユーザは、図６（ａ）に示すように、ユーザが使用する特定のパソコン１００Ａに設けられたリーダライタ１０１ＡとＩＣチップ２０との間でのみ認証を行う。そして、ユーザは、特定のパソコン１００Ａの前に座っている間は、カード２をカードケース１に収納したままで、特定のパソコン１００Ａに設けられたリーダライタ１０１ＡとＩＣチップ２０との間で使用認証が継続され、使用許可を得て特定のパソコン１００Ａのみを使用することができる。ユーザがパソコン１００Ａから一時的に離れ、ＩＣチップ２０がリーダライタ１０１Ａと通信可能な距離を越えると、ＩＣチップ２０とリーダライタ１０１Ａとの間の通信が遮断されて、パソコン１００Ａの使用認証が解除されて、パソコン１００Ａが使用できない状態となる。そのため、他人によるパソコン等の機器の不正使用を未然に防止することができる。さらに、ユーザは、パソコン等の機器の使用認証の際にカードをケースから取出す必要がなく、カードとカードケースとが別々にならないように使うことができるため、カードの置き忘れや紛失を防止することもできる。
【００２９】
次に、カードケース１のユーザが、特定エリアへの立ち入り認証など数メートル範囲での認証が必要な場合には、カード２を凸部３１の付勢力に逆らって移動させ、図１（ｂ）に示すように、カード２は、差し込みの深さがカードケース１の約半分程度に達した状態とする。この状態で、カード２は、ホルダー部３の凸部３１がカード２の凹部２５Ｂと係合して保持される。そして、カード２とカードケース１とは、カード２の一対のカード接続端子２１とカードケース１の接続部４に設けられた一対のカードケース接続端子４２とが当接する。
【００３０】
その結果、図１（ａ）の場合と同様に、ＩＣチップ２０は、カード接続端子２１とカードケース接続端子４１Ｂとを介して、アンテナ部５のループアンテナ５１Ｂに接続されて、外部に設けられたリーダライタからなる認証箇所との間で通信可能になる。
【００３１】
これにより、ＩＣチップ２０は、アンテナ５１Ａを介して約４〜５メール半径でのみ通信可能となるため、ユーザは、図６（ｂ）に示すように、両手が書類で塞がっているような場合であっても、事前に、図１（ｂ）に示すように、カード２の差し込みの深さがカードケース１の約半分程度に保持された状態としておくことで、カード２が収納されたカードケース１を特定エリアへのゲート１００Ｂに設けられた認証箇所１０１Ｂに立ち止まって近づける必要がなく、認証を行うことができる。そして、特定エリアへのゲート１００Ｂのコントローラ１０２Ｂは、当該ユーザが事前に登録された特定エリアへの立ち入りが認められたものであるか否かを識別して、当該ユーザの登録が認められた場合には、ゲート１０３Ｂを開けてユーザの通過を許可する。このようにして、ユーザは、両手が書類で塞がっているような場合であっても、スムーズに特定エリアへのゲート１００Ｂを通過することができる。
【００３２】
さらに、カードケース１のユーザが、自動車運転中、駐車場や自動車専用道路など特定エリアへ立ち入るための認証が必要な場合には、カード２を凸部３１の付勢力に逆らって移動させ、図１（ｃ）に示すように、カード２が、ホルダー部３に完全に差し込まれた状態とする。この状態で、カード２は、ホルダー部３の凸部３１がカード２の凹部２５Ｃと係合して保持される。そして、カード２とカードケース１とは、カード２の一対のカード接続端子２１とカードケース１の接続部４に設けられた一対のカードケース接続端子４１Ｃとが当接する。
【００３３】
その結果、図１（ａ），（ｂ）の場合と同様に、ＩＣチップ２０は、カード接続端子２１とカードケース接続端子４１Ｃとを介して、アンテナ部５のループアンテナ５１Ｃに接続されて、外部に設けられたリーダライタからなる認証箇所との間で通信可能になる。
【００３４】
これにより、ＩＣチップ２０は、アンテナ５１Ｃを介して約１０〜１５メール半径で通信可能となるため、ユーザは、図６（ｃ）に示すように、自動車運転中に駐車場や自動車専用道路など特定エリアへの立ち入るための認証が必要な場合であっても、事前に、図１（ｃ）に示すように、カード２がホルダー部３に完全に差し込まれた状態としておくことで、自動車を停止させて、特定エリアへの入口部分に設けられた認証箇所１０１Ｃにカード２が収納されたカードケース１をかざす必要がなく、認証を行うことができる。そして、特定エリアへのゲート１００Ｃのコントローラ１０２Ｃは、当該ユーザが事前に登録された特定エリアへの立ち入りが認められたものであるか否かを識別して、当該ユーザの登録が認められた場合には、ゲート１０３Ｃを開けてユーザが運転する自動車の通過を許可する。このようにして、ユーザは、自動車運転中に駐車場や自動車専用道路など特定エリアへの立ち入るための認証が必要な場合であっても、スムーズに特定エリアへのゲート１００Ｃを通過することができる。
【００３５】
尚、本実施形態において、ユーザは、ＩＣチップ２０の通信を停止したい場合には、カード２の表面と裏面と入れ替えた上で、カード２をカードケース１に収納する。これにより、ＩＣチップ２０は、カードケース２の接続部４に接続されず、ユーザが意図しないＩＣチップ２０の通信を防止することができる。
【００３６】
次に、カードの収納姿勢に応じて通信出力が変化する第２実施形態について、図２（ａ），（ｂ）を用いて説明する。第２実施形態におけるカードケース１は、図２（ａ）に示すように、内部にカード２を縦姿勢及び横姿勢で収納することができるホルダー部３（本発明の保持手段に相当する。）と、ホルダー部３内に設けられた接続部４と、アンテナ部５とを備える。
【００３７】
カード２は、情報識別素子であるＩＣチップ２０と各一対のカード接続端子２２Ａ，２２Ｂ（以下、２２Ａ，２２Ｂを区別しない場合には２２と記す。）とからなり、ＩＣチップ２０とカード接続端子２２との間は、それぞれリード線によって結ばれている。
【００３８】
接続部４は、カード２のホルダー部３内への収納姿勢に応じて、各一対のカード接続端子２２Ａ，２２Ｂと夫々当接可能な各一対のカードケース接続端子４２Ａ，４２Ｂ（以下、４２Ａ，４２Ｂを区別しない場合には４２と記す。）からなる。
【００３９】
アンテナ部５は、長さの異なる２種のアンテナコイルよりなるループアンテナ５２Ａ，５２Ｂ（以下、５２Ａ，５２Ｂを区別しない場合は５２と記す。）から構成される。ループアンテナ５２Ａは、アンテナコイルの長さが短いためアンテナ有効面積が小さく、通信出力が約１〜２メートル半径に限られている。また、ループアンテナ５２Ａを形成するアンテナコイルの両端は、一対のカードケース接続端子４２Ａと接続されている。ループアンテナ５２Ｂは、アンテナコイルの長さがループアンテナ５２Ａよりも長く、アンテナ有効面積もループアンテナ５２Ａよりも大きい。そのため、通信出力は約４〜５メートル半径に及ぶ。また、ループアンテナ５２Ｂを形成するアンテナコイルの両端は、一対のカードケース接続端子４２Ｂと接続されている。
【００４０】
次に、第２実施形態のカードケース１の機能について説明する。
【００４１】
カードケース１のユーザは、パソコンの使用認証など比較的近距離での認証が必要な場合には、図２（ａ）に示すように、ＩＣチップ２が内蔵されたカード２を縦姿勢でカードケース１へ差し込む。このとき、カード２とカードケース１とは、カード２の一対のカード接続端子２２Ａとカードケース１の一対のカードケース接続端子４２Ａとが当接する。
【００４２】
その結果、ＩＣチップ２０は、カード接続端子２２Ａとカードケース接続端子４２Ａとを介して、アンテナ部５のループアンテナ５２Ａに接続されて、外部に設けられたリーダライタからなる認証箇所との間で通信可能になる。これにより、ＩＣチップ２０は、アンテナ５２Ａを介して約１〜２メール半径でのみ通信可能となり、図６（ａ）に示すように、ユーザは、特定のパソコン１００Ａの前に座っている間は、カード２をカードケース１に収納したままで、特定のパソコン１００Ａに設けられたリーダライタ１０１ＡとＩＣチップ２０との間で使用認証を得て、特定のパソコン１００Ａのみを使用することができる。
【００４３】
次に、カードケース１のユーザが、特定エリアへの立ち入り認証など数メートル範囲での認証が必要な場合には、図２（ｂ）に示すように、ＩＣチップ２が内蔵されたカード２を横姿勢でカードケース１に差し込む。このとき、カード２とカードケース１とは、カード２の一対のカード接続端子２２Ｂとカードケース１の一対のカードケース接続端子４２Ｂとが当接する。
【００４４】
その結果、図２（ａ）の場合と同様に、ＩＣチップ２０は、カード接続端子２２Ｂとカードケース接続端子４２Ｂとを介して、アンテナ部５のループアンテナ５２Ｂに接続されて、外部に設けられたリーダライタからなる認証箇所との間で通信可能になる。これにより、ＩＣチップ２０は、アンテナ５２Ｂを介して約４〜５メール半径でのみ通信可能となり、図６（ｂ）に示すように、ユーザは、両手が書類で塞がっているような場合であっても、カード２が収納されたカードケース１を特定エリアへのゲート１００Ｂに設けられた認証箇所１０１Ｂに立ち止まって近づける必要がなく、認証を行うことができる。
【００４５】
次に、スライド部６を備える第３実施形態について、図３（ａ），（ｂ）を用いて説明する。第３実施形態におけるカードケース１は、図３（ａ）に示すように、内部にカード２を収納することができるホルダー部３（本発明の保持手段に相当する。）と、ホルダー部３内に設けられた接続部４と、アンテナ部５と、スライド部６（本発明の選択手段に相当する。）とを備える。
【００４６】
カード２は、情報識別素子であるＩＣチップ２０と一対のカード接続端子２３とからなり、ＩＣチップ２０とカード接続端子２３との間はリード線によって結ばれている。
【００４７】
接続部４は、ホルダー部３内への差し込まれたカード２の一対のカード接続端子２３と当接可能な複数のカードケース接続端子４３Ａ，４３Ｂ，４３Ｃ，４３Ｄ（以下、４３Ａ，４３Ｂ，４３Ｃ，４３Ｄを区別しない場合には４３と記す。）とからなる。
【００４８】
アンテナ部５は、長さの異なる３種のアンテナコイルよりなるループアンテナ５３Ａ，５３Ｂ，５３Ｃ（以下、５３Ａ，５３Ｂ，５３Ｃを区別しない場合は５３と記す。）からなる。ループアンテナ５３Ａは、アンテナコイルの長さが３種の中で最も短いため、アンテナ有効面積が最も小さく、通信出力は約１〜２メートル半径に限られている。ループアンテナ５３Ｂは、アンテナコイルの長さが次に短いため、アンテナ有効面積もループアンテナ５３Ａに次いで小さく、通信出力は約４〜５メートル半径に限られている。ループアンテナ５３Ｃは、アンテナコイルの長さがもっとも長くため、アンテナ有効面積が最も大きく、通信出力は約１０〜１５メートル半径に及ぶ。
【００４９】
スライド部６は、スライド端子６１とホルダー部３に貫通して設けられたスリット６２とからなる。スライド端子６１は、ホルダー部３内に設けられた端子部６４と、スリット６２を通してカードケース１の外面に突出するノブ６３からなり、スリット６２に沿って進退自在に設けられている。そして、スライド端子６１の端子部６４には、図３（ｂ）に示すように、ホルダー部３の内面に向かって設けられた選択端子４３と、ループアンテナ５３に接続されるアンテナ接続端子６５Ａ，６５Ａ´，６５Ｂ，６５Ｂ´，６５Ｃ，６５Ｃ´（以下、６５Ａ，６５Ａ´，６５Ｂ，６５Ｂ´，６５Ｃ，６５Ｃ´を区別しない場合は６５と記す。）が設けられている。アンテナ接続端子６５Ａ，６５Ａ´は、選択端子４３Ａ，４３Ｂと接続され、アンテナ接続端子６５Ｂ，６５Ｂ´は、選択端子４３Ｂ，４３Ｃと接続され、アンテナ接続端子６５Ｃ，６５Ｃ´は、選択端子４３Ｃ，４３Ｄと接続されている。そして、アンテナ接続端子６５は、端子部６４の進退位置に応じて、アンテナ接続端子６５Ａ，６５Ａ´はループアンテナ５３Ａに、アンテナ接続端子６５Ｂ，６５Ｂ´はループアンテナ５３Ｂに、アンテナ接続端子６５Ｃ，６５Ｃ´はループアンテナ５３Ｃに接続される。尚、スリット６２には、スリット幅が広くなった嵌部（図示略）が等間隔で設けられており、スライド端子６１は、端子部とノブ６３を結ぶ連通部分が嵌部に嵌り込んで固定される。
【００５０】
次に、第３実施形態のカードケース１の機能について説明する。
【００５１】
まず、カードケース１のユーザは、自己の個人識別情報を有するＩＣチップ２０が内蔵されたカード２をカードケース１に収納した上で、パソコンの使用認証など比較的近距離での認証が必要な場合には、スライド端子６１をカード２の差し込み方向にスライドさせた位置で固定する。このとき、カード２とカードケース１とは、カード２の一対のカード接続端子２３とカードケース１のカードケース接続端子４３Ａ，４３Ｂとが当接する。
【００５２】
その結果、ＩＣチップ２０は、アンテナ接続端子６５Ａ，６５Ａ´を介してループアンテナ５３Ａに接続されて、外部に設けられたリーダライタからなる認証箇所との間で通信可能になる。これにより、ＩＣチップ２０は、アンテナ５３Ａを介して約１〜２メール半径でのみ通信可能となり、図６（ａ）に示すように、ユーザは、特定のパソコン１００Ａの前に座っている間は、カード２をカードケース１に収納したままで、特定のパソコン１００Ａに設けられたリーダライタ１０１ＡとＩＣチップ２０との間で使用認証を得て、特定のパソコン１００Ａのみを使用することができる。
【００５３】
次に、カードケース１のユーザが、特定エリアへの立ち入り認証など数メートル範囲での認証が必要な場合には、スライド端子６１をスライド溝６２の中間位置に固定する。このとき、カード２とカードケース１とは、カード２の一対のカード接続端子２３とカードケース１のカードケース接続端子４３Ｂ，４３Ｃとが当接する。
【００５４】
その結果、ＩＣチップ２０は、アンテナ接続端子６５Ｂ，６５Ｂ´を介してループアンテナ５３Ｂに接続されて、外部に設けられたリーダライタからなる認証箇所との間で通信可能になる。これにより、ＩＣチップ２０は、アンテナ５３Ｂを介して約４〜５メール半径でのみ通信可能となり、図６（ｂ）に示すように、ユーザは、両手が書類で塞がっているような場合であっても、カード２が収納されたカードケース１を特定エリアへのゲート１００Ｂに設けられた認証箇所１０１Ｂに立ち止まって近づける必要がなく、認証を行うことができる。
【００５５】
さらに、カードケース１のユーザが、自動車運転中に社内駐車場や自動車専用道路など特定エリアへの立ち入るための認証が必要な場合には、スライド端子６１をカード２の抜き出し方向にスライドさせた位置で固定する。このとき、カード２とカードケース１とは、カード２の一対のカード接続端子２３とカードケース１のカードケース接続端子４３Ｃ，４３Ｄとが当接する。
【００５６】
その結果、ＩＣチップ２０は、アンテナ接続端子６５Ｃ，６５Ｃ´を介してループアンテナ５３Ｃに接続されて、外部に設けられたリーダライタからなる認証箇所との間で通信可能になる。これにより、ＩＣチップ２０は、アンテナ５３Ｃを介して約１０〜１５メール半径で通信可能となり、図６（ｃ）に示すように、ユーザは、自動車運転中に駐車場や自動車専用道路など特定エリアへ立ち入るための認証が必要な場合であっても、自動車を停止させて、特定エリアへの入口部分に設けられた認証箇所１０１Ｃにカード２が収納されたカードケース１をかざす必要がなく、認証を行うことができる。
【００５７】
尚、本実施形態において、スライド部６を設ける代わりに、一つのカードケース接続端子とループアンテナ５３Ａ，５３Ｂ，５３Ｃとの接続を切り替える切替スイッチを設ける構成としてもよい。これにより、ＩＣチップ２０は、カード接続端子２３と一つのカードケース接続端子を介して、切替スイッチによって選択されたループアンテナ５３Ａ，５３Ｂ，５３Ｃに接続されて、外部に設けられたリーダライタからなる認証箇所との間で通信可能になる。
【００５８】
次に、電源部と通信回路からなる回路部とを備え、切替部を介して通信出力を切り替えることができる第４実施形態について、図４を用いて説明する。第４実施形態におけるカードケース１は、図４に示すように、内部にカード２を収納することができるホルダー部３と、ホルダー部３内に設けられた接続部４と、アンテナ部５と、電源部７と、回路部８と、通信出力を切り替える切替手段９と、特定の出力信号を発する指示スイッチ１０Ａ，１０Ｂ，１０Ｃ（以下、１０Ａ，１０Ｂ，１０Ｃを区別しない場合は、１０と記す。）とを備える。
【００５９】
カード２は、情報識別素子であるＩＣチップ２０と一対のカード接続端子２４とからなり、ＩＣチップ２０とカード接続端子２４との間はリード線によって結ばれている。
【００６０】
接続部４は、ホルダー部３内への差し込まれたカード２の一対のカード接続端子２４と当接可能なカードケース接続端子４４からなる。
【００６１】
アンテナ部５は、アンテナコイルよりなるループアンテナ５４であって、回路部８に接続されている。
【００６２】
電源部７は、リチウムイオン電池等から構成される電池であって、回路部８に動作用電源を供給する。
【００６３】
回路部８は、増幅回路と発振回路とを含む通信回路であって、接続部４のカードケース接続端子４４とアンテナ部５のループアンテナ５４と切替手段９と指示スイッチ１０とに接続されている。そして、増幅回路は、通信出力を増減できる回路であって、回路部８の外部に設けられた可変抵抗の値に応じて増幅率を変化させることができる。また、発振回路は、特定周波数の信号を出力することが回路であって、回路部８の外部に設けられた指示スイッチ１０により、ＯＮされた指示スイッチ１０Ａ，１０Ｂ，１０Ｃに応じた異なる周波数の信号を出力する。
【００６４】
切替手段９は、カードケース１の外表面に設けられた可変抵抗であって、切替手段９の摘みを回転させることにより、可変抵抗の抵抗値が変化し、回路部８に設けられた増幅回路の増幅率を変化させることができる。
【００６５】
指示スイッチ１０は、カードケース１の外表面に設けられた選択機能を有するスイッチであって、指示スイッチ１０Ａ，１０Ｂ，１０Ｃを押し込むことによって、指示スイッチ１０Ａ，１０Ｂ，１０Ｃのいずれか一つをＯＮさせることができる。
【００６６】
次に、第４実施形態のカードケース１の機能について説明する。
【００６７】
まず、カードケース１のユーザは、自己の個人識別情報を有するＩＣチップ２０が内蔵されたカード２をカードケース１に収納する。これにより、ＩＣチップ２０は、カード接続端子２４とカードケース接続端子４４を介して、回路部８の通信回路に接続される。この状態で、切替手段９の摘みを反時計まわりに回転させることにより、通信回路の電源がＯＮされて電源部７から回路部８に電力が供給される。これにより、ＩＣチップ２０は回路部８の通信回路によりアンテナ部５のループアンテナ５４を介して外部に設けられたリーダライタと通信可能になる。そして、ユーザが、切替手段９の摘みを反時計まわりにさらに回転させると、切替手段９の抵抗値が減少して、前記増幅回路の増幅率が高まり通信出力が大きくなる。このようにして、ユーザは、切替手段９を介してＩＣチップ２０が通信可能な距離を任意に設定することができ、図６（ａ），（ｂ），（ｃ）のそれぞれの場面に応じた通信出力を設定することができる。
【００６８】
さらに、ＩＣチップ２０が外部に設けられたリーダライタと通信可能な状態において、ユーザが指示スイッチ１０Ａ，１０Ｂ，１０Ｃを押し込むことによって、ＯＮされた指示スイッチ１０に応じて異なる周波数の信号が出力される。これにより、ユーザは、ＩＣチップ２０が外部に設けられたリーダライタと通信を行う際に、選択的な情報を出力することができる。例えば、ＩＣチップ２０を有するカード２が、クレジットカードや各種会員カード等の多目的カードを兼用する場合に、ユーザは、図７（ａ）に示すように、カード２をカードケース１に収納した状態でレジ１００Ｄに設けられたリーダライタ１０１Ｄとの間でクレジットカードの認証を行う。そして、通常対話式で行われていたクレジットカード認証後の支払い回数の設定などの内容を、予め指示スイッチ１０Ａ，１０Ｂ，１０Ｃのいずれかを押し込んでおくか、レジ１００Ｄに設けられたディスプレイ１０４Ｄの表示に従って、指示スイッチ１０Ａ，１０Ｂ，１０Ｃのいずれかを押し込むことで、選択的に意思表示することができる。このため、ユーザ１は、クレジットカードの支払い回数など他人に知られたくない内容を他人に知られることなく意思表示することができる。尚、レジ１００Ｄに設けられたディスプレイ１０４Ｄの表示に従って指示スイッチ１０を操作する代わりに、カードケース１に表示部１１を設け、ＩＣチップ２０とリーダライタ１０１Ｄとの通信内容に応じて表示部１１に表示された表示内容から、指示スイッチ１０を操作するように構成してもよい。
【００６９】
次に、電源部と通信回路からなる回路部と記憶部を含む制御部とを備え、記憶部に記憶された情報に基づいてセキュリティ機能を有する第５実施形態について、図５を用いて説明する。第５実施形態におけるカードケース１は、図５に示すように、内部にカード２を収納することができるホルダー部３と、ホルダー部３内に設けられた接続部４と、アンテナ部５と、電源部７と、回路部８と、制御部１５とを備える。
【００７０】
カード２は、情報識別素子であるＩＣチップ２０と一対のカード接続端子２５とからなり、ＩＣチップ２０とカード接続端子２５との間はリード線によって結ばれている。
【００７１】
接続部４は、ホルダー部３内への差し込まれたカード２の一対のカード接続端子２５と当接可能なカードケース接続端子４５からなる。
【００７２】
アンテナ部５は、アンテナコイルよりなるループアンテナ５５であって、回路部８に接続されている。
【００７３】
電源部７は、リチウムイオン電池等から構成される電池であって、回路部８に動作用電源を供給する。
【００７４】
回路部８は、増幅回路を含む通信回路であって、接続部４のカードケース接続端子４５とアンテナ部５のループアンテナ５５と制御部１５とに接続されている。そして、回路部８は、制御部１５からの出力信号に応じて、アンテナ部５を介した通信をＯＮ／ＯＦＦさせる。
【００７５】
制御部１５は、ＣＰＵ、ＲＯＭ（ＥＥＰＲＯＭなど）やＲＡＭなどの記憶部（メモリ）、信号入力回路、信号出力回路等と、ＣＰＵに特定の情報処理機能を付与するため記憶部に格納されているプログラムとからなる。さらに、制御部１５は、記憶部に記憶された認証データに基づいて、カード２のＩＣチップ２０が回路部８を介して外部に設けられたリーダライタと通信（ＩＣチップ２０からリーダライタへの情報の読出及びリーダライタからＩＣチップ２０への情報の書込み）することを制御する。
【００７６】
次に、第５実施形態のカードケース１の機能について説明する。
【００７７】
まず、ユーザは、自己の個人識別情報を有するＩＣチップ２０が内蔵されたカード２をカードケース１に収納する。これにより、ＩＣチップ２０は、カード接続端子２５とカードケース接続端子４５を介して、制御部１５に接続される。
【００７８】
続いて、制御部１５は、記憶部に記憶された認証データとカード２のＩＣチップ２０とから当該ユーザの認証を行う。具体的には、制御部１５は、ＩＣチップ２０から制御部１５に読み出された当該ユーザの個人識別情報と記憶部に記憶された認証データとを照合して、当該ユーザが予め登録された者である場合には、カード２のＩＣチップ２０と回路部８とを接続する。これにより、カード２のＩＣチップ２０は、外部に設けられたリーダライタと通信することができる。
【００７９】
一方、制御部１５は、記憶部に記憶された認証データに基づいて、当該ユーザが登録された者でない場合には、カード２のＩＣチップ２０と回路部８とを接続しない。このため、カード２のＩＣチップ２０は、外部に設けられたリーダライタと通信することができず、予め登録されていない者がカードケース１を不正使用することを防止することができる。
【００８０】
例えば、図７（ｂ）に示すように、ある会社のＡ部所属のユーザが、出張によりＢ部を訪れた際に、受付でＢ部用のカードケース２を受け取り、自己のカード２（社員証）を該カードケース２に収納すると、カード２のＩＣチップ２０から制御部１５に当該ユーザの個人識別情報が読み出される。そして、制御部１５は、読み出されたユーザの個人識別情報に含まれる識別子と記憶部に記憶された認証データとを照合して、当該ユーザが社員であると判断して、カード２のＩＣチップ２０と回路部８とを接続する。その結果、カード２のＩＣチップ２０は、当該ユーザがＢ部の受付ゲート１００Ｅに設けられたリーダライタ１０１Ｅと通信可能になる。そして、コントローラ１０２Ｅは、リーダライタ１０１Ｅを介して当該ユーザの立ち入りのための認証を行い、該認証結果に基づいて受付ゲート１００Ｅの扉１０３Ｅの開閉を行う。さらに、コントローラ１０２Ｅは、当該ユーザが受付ゲート１００Ｅを通過した履歴を履歴収集部１０５Ｅに蓄積して入退出管理を行う。
【００８１】
これにより、当該ユーザは、受付の際に必要な所属の記載等を省略してＢ部を訪問することができ、受付での手続負担を軽減することができる。
【００８２】
また、受付で配布されるＢ部用のカードケース１は、記憶部に記憶された認証データとカード２のＩＣチップ２０の個人識別情報とから当該ユーザの権限を識別して、カード２のＩＣチップ２０と回路部８との接続を行うことにより、当該ユーザの特定エリアへの立ち入りを制限するように構成することもできる。
【００８３】
さらに、各特定エリアへの立ち入りの際に、上述の受付ゲート１００Ｅと同様に、特定エリアのゲートを通過した履歴を、社内ネットワークを介して履歴収集部１０５Ｅに蓄積することで、会社全体のセキュリティ管理に役立てることもできる。
【図面の簡単な説明】
【００８４】
【図１】第１実施形態におけるカードケースの使用状態を示す説明図。
【図２】第２実施形態におけるカードケースの使用状態を示す説明図。
【図３】第３実施形態におけるカードケースの使用状態を示す説明図。
【図４】第４実施形態におけるカードケースの使用状態を示す説明図。
【図５】第５実施形態におけるカードケースの使用状態を示す説明図。
【図６】本実施形態における使用例を示す説明図。
【図７】本実施形態における他の使用例を示す説明図。
【符号の説明】
【００８５】
１…カードケース、  ２…カード、  ３…ホルダー部、  ４…接続部、  ５…アンテナ部、  ６…スライド部、  ７…電源部、  ８…回路部（通信回路）、  ９…切替部、  ２０…ＩＣチップ、  ３１…凸部、  ４１〜４５…カードケース接続端子、  ５１〜５５…ループアンテナ。
【図１】
2007133781.tif 000003
【図２】
2007133781.tif 000004
【図３】
2007133781.tif 000005
【図４】
2007133781.tif 000006
【図５】
2007133781.tif 000007
【図６】
2007133781.tif 000008
【図７】
2007133781.tif 000009